(57)【特許請求の範囲】
【請求項１】
ユニット式建物を構成する上下階の建物ユニットの骨組に取り付けられた上下階の外装材間の防水構造であって、
上階の前記骨組に取付金物が取り付けられ、この取付金物に前記外装材が前記骨組との間に所定の間隔をもって取り付けられており、
前記上下の外装材間に、幕板部材が配置されるとともに、この幕板部材の上部が、前記取付金物の下部に取り付けられることによって、当該取付金物を介して上階の前記外装材の下端部に取り付けられており、
前記幕板部材は上下階の外装材間に配置される断面コ字形の幕板本体と、この幕板本体の上片部から上方に延出する固定板と、前記幕板本体の下片部から前記骨組側に向けて延出する延出板とを備えており、
前記固定板が前記取付金物の下部に固定され、前記延出板が前記上階の建物ユニットの骨組の下面に固定されており、
前記幕板部材の下部と下階の前記外装材との間に弾性防水材が設けられていることを特徴とする外装材間の防水構造。
【請求項２】
請求項１に記載の外装材間の防水構造において、
前記取付金物の下端部が前記上階の外装材の下端部より下方に突出しており、この突出した突出部に前記固定板が固定されていることを特徴とする外装材間の防水構造。
【請求項３】
請求項１または２に記載の外装材間の防水構造において、
前記幕板本体は、前記外装材の表面より前方に突出していることを特徴とする外装材間の防水構造。
【請求項４】
請求項１〜３のいずれか一項に記載の外装材間の防水構造において、
前記幕板本体の下片部に、前記弾性防水材の一部が挿入される溝部が形成されていることを特徴とする外装材間の防水構造。
【発明の詳細な説明】
【技術分野】
【０００１】
本発明は、建物ユニットの骨組に取り付けられた上下階の外装材間の防水構造に関する。
【背景技術】
【０００２】
ユニット式建物は、予め工場で生産された複数の建物ユニットを建設現場で組合わせることによって建てられている。この建物ユニットは、四隅に立設される４本の柱とこれらの柱の上端間および下端間同士を結合する各４本の上梁と下梁とで形成された骨組を備え、このような骨組みに外壁、内壁、天井材、床材等を取り付けることにより形成されている。
外壁としては、一般的に軽量気泡コンクリート製の比較的厚い外壁が使用されている。上下階に配置された建物ユニットの外壁間の防水構造の一例として、特許文献１に記載のものが知られている。この防水構造は、下階建物ユニットの外壁と上階建物ユニットの外壁との隙間に、バックアップ材とコーキング材とを設ける構造となっており、さらに、バックアップ材より内側に、断面Ｄ型のシール材を用いる場合もある。
【先行技術文献】
【特許文献】
【０００３】
【特許文献１】特開平０８−１２８１１１号公報
【発明の概要】
【発明が解決しようとする課題】
【０００４】
ところで、ユニット式建物どうしを所定の隙間をもって連設する場合、この隙間をなるべく小さくしたい場合がある。この場合、前記軽量気泡コンクリート製の外壁は、比較的厚いものであるので、このままでは、外壁どうしが干渉しあうことがある。そこで、外壁として、軽量気泡コンクリート製の外壁以外の一般的な外装材を使用した場合、従来のバックアップ材とコーキング材とによる防水処理、さらにはＤ型のシール材をさらに用いた防水処理では、バックアップ材、コーキング材、シール材等を設けるだけの厚さがないので、このような防水処理を行うことが困難であるという問題があった。
【０００５】
本発明は上記事情に鑑みてなされたもので、建物ユニットの骨組に一般的な外装材を取り付けた場合に、上下階の外装材間の防水処理を確実に行うことができる外装材間の防水構造を提供することを課題としている。
【課題を解決するための手段】
【０００６】
上記課題を解決するために、請求項１に記載の発明は、例えば図１および図２に示すように、ユニット式建物１を構成する上下階の建物ユニット３，４の骨組１３，１３に取り付けられた上下階の外装材１４，１５間の防水構造であって、
上階の前記骨組１３に取付金物１６が取り付けられ、この取付金物１６に前記外装材１４が前記骨組１３との間に所定の間隔をもって取り付けられており、
前記上下の外装材１４，１５間に、幕板部材２０が配置されるとともに、この幕板部材２０の上部が、前記取付金物１６の下部に取り付けられることによって、当該取付金物１６を介して上階の前記外装材１４の下端部に取り付けられており、
前記幕板部材２０は上下階の外装材１４，１５間に配置される断面コ字形の幕板本体２１と、この幕板本体２１の上片部２１ａから上方に延出する固定板２２と、前記幕板本体２１の下片部２１ｂから前記骨組側に向けて延出する延出板２３とを備えており、
前記固定板２２が前記取付金物１６の下部に固定され、前記延出板２３が前記上階の建物ユニット３の骨組１３の下面に固定されており、
前記幕板部材２０の下部と下階の前記外装材１５との間に弾性防水材２５が設けられていることを特徴とする。
【０００７】
請求項１に記載の発明によれば、上下階の外装材１４，１５間に幕板部材２０が配置されるとともに、この幕板部材２０の上部が上階の外装材１４の下端部に取り付けられ、前記幕板部材２０の下部と下階の外装材１５との間に弾性防水材２５が設けられているので、上下階の外装材１４，１５間を幕板部材２０によって覆うことができるとともに、弾性防水材２５によって幕板部材２０と下階の外装材１５との間の防水を行うことができる。
したがって、建物ユニット３，４の骨組１３，１３に比較的薄い一般的な外装材１４，１５を取り付けた場合に、上下階の外装材１４，１５間の防水処理を確実に行うことができる。
【０００９】
また、上階の骨組１３に取付金物１６が取り付けられ、この取付金物１６に上階の外装材１４が前記骨組１３との間に所定の間隔をもって取り付けられているので、外装材１４と骨組１との間に上下に抜ける通気スペースを確保できる。
また、幕板部材２０の上部は、取付金物１６の下部に取り付けられることによって、当該取付金物１６を介して上階の前記外装材１４の下端部に取り付けられているので、幕板部材２０の上部を、外装材１４の下端部に直接取り付ける場合に比して、より確実に取り付けることができる。
【００１１】
また、幕板部材２０の固定板２２が取付金物１６に固定され、延出板２３が上階の建物ユニット３の骨組１３の下面に固定されているので、上下階の外装材１４，１５間に配置された幕板本体２１を確実に固定できる。
また、幕板部材２０を予め上階の建物ユニット３の下部に固定することができるので、下階の建物ユニット４に上階の建物ユニット３を設置するだけで、幕板部材２０を上下階の外装材１４，１５間に容易に配置できる。
【００１２】
請求項２に記載の発明は、請求項１に記載の外装材間の防水構造において、
前記取付金物１６の下端部が前記上階の外装材１４の下端部より下方に突出しており、この突出した突出部１６ｃに前記固定板２２が固定されていることを特徴とする。
【００１３】
請求項２に記載の発明によれば、上階の外装材１５の下端部より下方に突出している取付金物１６の突出部１６ｃに幕板部材２０の固定板２２が固定されているので、取付金物１６に容易に幕板部材２０を固定できる。
【００１４】
請求項３に記載の発明は、請求項１または２に記載の外装材間の防水構造において、
前記幕板本体２１は、前記外装材１４，１５の表面より前方に突出していることを特徴とする。
【００１５】
請求項３に記載の発明によれば、幕板本体２１が、外装材１４，１５の表面より前方に突出しているので、上階の外装材１４の表面を流れ落ちてきた雨水が幕板本体２１の表面を流れ落ちて、下方に落下するので、幕板部材２０を水切りとして使用できる。
【００１６】
請求項４に記載の発明は、請求項１〜３のいずれか一項に記載の外装材間の防水構造において、
前記幕板本体２１の下片部２１ｂに、前記弾性防水材２５の一部が挿入される溝部２１ｃが形成されていることを特徴とする。
【００１７】
請求項４に記載の発明によれば、幕板本体２１の下片部２１ｂに形成された溝部２１ｃに、弾性防水材２５の一部が挿入されているので、この弾性防水材２５の外装材１４の厚さ方向へのずれを防止でき、よって、弾性防水材２５による防水性を確実なものとすることができる。
【発明の効果】
【００１８】
本発明によれば、上下階の外装材間を幕板部材によって覆うことができるとともに、弾性防水材によって幕板部材と下階の外装材との間の防水を行うことができる。
したがって、建物ユニットの骨組に比較的薄い一般的な外装材を取り付けた場合に、上下階の外装材間の防水処理を確実に行うことができる。
【図面の簡単な説明】
【００１９】
【図１】本発明に係る外装材間の防水構造を備えたユニット式建物の概略構成を示す図である。
【図２】本発明に係る外装材間の防水構造の一例を示す側断面図である。
【図３】図１に示すユニット式建物の下部の要部を示す側断面図である。
【発明を実施するための形態】
【００２０】
以下、図面を参照して本発明の実施の形態について説明する。
図１は、本発明に係る外装材間の防水構造を備えたユニット式建物１の概略構成を示す図である。この図に示すユニット式建物１は、基礎２の上に設置される複数の上階および下階の建物ユニット３，４および上階の建物ユニット３の上に配置される屋根５を備えて構成されている。上下階の建物ユニット３，４どうしを結合する各４本の上梁１１、下梁（床梁）１２とで形成された骨組み１３を備え、このような骨組み１３に外装材１４，１５や図示しない、内壁、天井材、床材等を取り付けることにより形成されている。
なお、建物ユニット３、４は予め工場等によって製造されている。つまり、外装材１４，１５等が予め工場等において骨組１２に取り付けられている。
【００２１】
本発明に係る外装材間の防水構造は、前記ユニット式建物１を構成する上下階の建物ユニット３，４のそれぞれの骨組１３に取り付けられた上下階の外装材１４，１５間の防水構造である。
図２に示すように、上階の建物ユニット３の床梁１２と上階の外装材１４との間には、取付金物１６が設けられている。この取付金物１６は、断面略コ字型のアングル材であり、外装材１４の幅方向（図２において紙面と直交する方向）に長尺に形成されている。なお、取付金物１６は、外装材１４の幅方向において所定間隔で複数設けられている。
【００２２】
取付金物１６の一片部１６ａは、他片部１６ｂより下方に長くなっており、この一片部１６ａが床梁１２にボルト１７ａとナット１７ｂとによって固定されている。
また、取付金物１６の他片部１６ｂは上階の外装材１４の裏面に密接されており、ビス１８によって当該裏面に固定されている。また、他片部１６ｂの下端部が上階の外装材１４の下端部より下方に突出して、突出部１６ｃとされている。
このようにして、上階の外装材１４の下端部は、取付金物１６を介して床梁１２に所定の間隔をもって取り付けられている。
なお、上階の外装材１４の上端部は、後述する取付金物３０と同様の取付金物によって同様にして上階の建物ユニット３の上梁に取り付けられている。
【００２３】
上下階の外装材１４，１５間には幕板部材２０が配置されている。この幕板部材２０は上下階の外装材１４，１５間に配置される断面コ字形の幕板本体２１と、この幕板本体２１の上片部２１ａから上方に延出する固定板２２と、前記幕板本体２１の下片部２１ｂから前記骨組側に向けて延出する延出板２３とを備えている。
幕板本体２１は、その上下の高さが、上下階の外装材１４，１５間の間隔より小さくなっており、幕板本体２１の裏側の凹所を内側に向け、かつ、表面を外装材１４，１５の表面より若干前方に突出させて配置されている。なお、幕板本体２１の裏側の凹所には断熱材が充填されている。
【００２４】
幕板部材２０の固定板２２は、前記取付金物１６の突出部１６ｃに当接されたうえで、この突出部１６ｃにビス２４によって固定されている。
また、幕板部材２０の延出板２３は床梁１２より下方に位置しており、該床梁１２の下面に固定されている。なお、この固定は上階の建物ユニット３を下階の建物ユニット２に設置する前に予め行われている。
また、幕板本体２１の下片部２１ｂには溝部２１ｃが形成されている。この溝部２１ｃは下片部２１ｂを溝状に折曲することにより形成されたものであり、幕板部材２０の長手方向（図２において紙面と直交する方向）に沿って延在している。
この溝部２１ｃには、弾性防水材２５の上半分が挿入されている。弾性防水材２５は、例えばＥＰＤＭ発泡体で形成されたものである。この弾性防水材２５の下面は下階の外装材１５の上端面に、上端保護材１５ａを介して弾性的に密着しており、上面は前記下片部２１ｂに弾性的に密着している。このようにして、幕板部材２０の下部と下階の外装材１５との間に弾性防水材２５が設けられており、この弾性防水材２５は、幕板部材２０の下部、すなわち下片部２１ｂと、外装材１５の上端面とに弾性的に密着している。
なお、幕板部材２０の表面には、保護シート２０ａが固定板２２から幕板本体２１の上片部２１ａ、表面にかけて設けられている。前記ビス２４の頭部は保護シート２０ａによって覆われている。
【００２５】
また、上階の建物ユニット３の床梁１２と、下階の建物ユニット４の上梁１１との間には、断熱材２６が設けられている。つまり上階の建物ユニット３の骨組１３の下面と、下階の建物ユニット４の骨組１３の上面との間に断熱材２６が設けられている。この断熱材２６も弾性防水材２６と同様に、例えばＥＰＤＭ発泡体で形成されたものである。そして、この断熱材２６は、床梁１２の下面と上梁１１の上面とにそれぞれに弾性的に密着している。
また、前記幕板部材２０の延出板２３は、床梁１２と断熱材２６との間に挿入されて、これら床梁１２と断熱材２６とによって挟持されている。
なお、床梁１２および上梁１１の内側には断熱材が設けられており、これら断熱材と前記断熱材２６とが上下に連続するように配置されている。
【００２６】
下階の建物ユニット４の上梁１１と下階の外装材１５との間には取付金物３０が設けられている。この取付金物３０は、断面略コ字型のアングル材であり、外装材１４の幅方向（図２において紙面と直交する方向）に長尺に形成されている。なお、取付金物３０は、外装材１４の幅方向において所定間隔で複数設けられている。
取付金物３０の一片部３０ａは、他片部３０ｂより短くなっており、この一片部３０ａが上梁１１にボルト１７ａとナット１７ｂとによって固定されている。
また、取付金物３０の他片部３０ｂは下階の外装材１５の裏面に密接されており、ビス１８によって当該裏面に固定されている。
このようにして、下階の外装材１５の下端部は、取付金物３０を介して上梁１１に所定の間隔をもって取り付けられている。
【００２７】
図３は下階の建物ユニット４の下端部を示す断面図である。この図に示すように、下階の建物ユニット４の床梁１２と下階の外装材１５の下端部との間には、前記取付金物１６と等しい取付金物１６が配置されている。
取付金物１６の一片部１６ａは床梁１２にボルト１７ａとナット１７ｂとによって固定されており、取付金物１６の他片部１６ｂは下階の外装材１５の裏面に密接されている。
このようにして、下階の外装材１５の下端部は、取付金物１６を介して床梁１２に所定の間隔をもって取り付けられている。
【００２８】
下階の外装材１５の下方には、土台水切り３１と防鼠アングル３２とが配置され、これらはビス３３によって取付金物１６の突出部１６ｃに固定されている。また、防鼠アングル３２と基礎２の上面との間には防鼠メッシュパイプ３４が挿入されている。
【００２９】
本実施の形態の外装材間の防水構造によれば、上下階の外装材１４，１５間に幕板部材２０が配置されるとともに、この幕板部材２０の上部が上階の外装材１４の下端部に取り付けられた取付金物１６に固定され、幕板部材２０の下部と下階の外装材１５との間に弾性防水材２５が設けられているので、上下階の外装材１４，１５間を幕板部材２０によって覆うことができるとともに、弾性防水材２５によって幕板部材２０と下階の外装材１５との間の防水を行うことができる。
したがって、建物ユニット３，４の骨組１３，１３に比較的薄い一般的な外装材１４，１５を取り付けた場合に、上下階の外装材１４，１５間の防水処理を確実に行うことができる。
また、前記断熱材２６がＥＰＤＭ発泡体で形成されているので、上階の建物ユニット３の骨組１３の下面と、下階の建物ユニット４の骨組１３の上面との間において二次防水を確実に行える。
また、建物ユニット３，４の骨組１３，１３に取付金物１６，３０が取り付けられ、この取付金物１６，３０に外装材１４，１５が骨組１３，１３との間に所定の間隔をもって取り付けられているので、外装材１４，１５と骨組１３，１３との間に上下に抜ける通気スペースを確保できる。
【００３０】
また、幕板部材２０の固定板２２が取付金物１６に固定され、延出板２３が上階の建物ユニット３の骨組１３の下面に固定されているので、上下階の外装材１４，１５間に配置された幕板本体２１を確実に固定できる。
また、幕板部材２０を予め上階の建物ユニット３の下部に固定することができるので、下階の建物ユニット４に上階の建物ユニット３を設置するだけで、幕板部材２０を上下階の外装材１４，１５間に容易に配置できる。
さらに、取付金物１６の下端部が上階の外装材１４の下端部より下方に突出しており、この突出した突出部１６ｃに固定板２２が固定されているので、取付金物１６に容易に幕板部材２０を固定できる。
また、幕板本体２１が、外装材１４，１５の表面より前方に突出しているので、上階の外装材１４の表面を流れ落ちてきた雨水が幕板本体２１の表面を流れ落ちて、下方に落下するので、幕板部材２０を水切りとして使用できる。
また、幕板本体２１の下片部２１ｂに形成された溝部２１ｃに、弾性防水材２５の一部（上部）が挿入されているので、この弾性防水材２５の外装材１４の厚さ方向へのずれを防止でき、よって、弾性防水材２５による防水性を確実なものとすることができる。
【符号の説明】
【００３１】
１  ユニット式建物
３  上階の建物ユニット
４  下階の建物ユニット
１３  骨組
１４  上階の外装材
１５  下階の外装材
１６，３０  取付金物
１６ｃ  突出部
２０  幕板部材
２１  幕板本体
２１ａ  上片部
２１ｂ  下片部
２１ｃ  溝部
２２  固定板
２３  延出板
２５  弾性防水材
【図１】
0005666841.tif 000002
【図２】
0005666841.tif 000003
【図３】
0005666841.tif 000004